(57)【要約】【課題】遠近の広い範囲にわたって周期的に鮮明な画像を取込むことのできる防犯カメラを提供する。【解決手段】レンズ１と受光部２を備える防犯カメラ１０において、レンズ１を固定し、受光部２を、往復スライド機構３によって、レンズ１に対して周期的に接離移動させてレンズ１の焦点を変化させ、遠近の広範囲にわたって鮮明な画像を周期的に取込む。また、受光部２を固定し、レンズ１を接離移動させてレンズ１の焦点を変化させ、遠近の広範囲にわたって鮮明な画像を取込む。【選択図】        図１
2006262225.tif 000002
【特許請求の範囲】
【請求項１】
レンズ（１）と受光部（２）を備える防犯カメラ（１０）において、前記レンズを固定し、前記受光部を，往復スライド機構（３）によって，前記レンズに対して周期的に接離移動させて前記レンズの焦点を変化させ，遠近の広範囲にわたって周期的に鮮明な画像を取込むことを特徴とする防犯カメラ。
【請求項２】
レンズ（１）と受光部（２）を備える防犯カメラ（１０）において、前記受光部を固定し、前記レンズを，往復スライド機構（３）によって，前記受光部に対して周期的に接離移動させて前記レンズの焦点を変化させ，遠近の広範囲にわたって周期的に鮮明な画像を取込むことを特徴とする防犯カメラ。
【請求項３】
レンズ（１）と受光部（２）を備える防犯カメラ（１０）において、往復スライド機構によって前記レンズ（１）及び受光部をいずれも同時に近づけ又は同時に遠ざけながら、周期的に接離させて前記レンズの焦点を変化させ，遠近の広範囲にわたって周期的に鮮明な画像を取込むことを特徴とする防犯カメラ。
【発明の詳細な説明】
【技術分野】
【０００１】
本発明は、遠近の広い範囲にわたって周期的に鮮明な画像を取込むことのできる防犯カメラに関するものである。
【背景技術】
【０００２】
従来の防犯カメラにおいて、焦点は常にカメラより一定の距離にある物に合わせてある為、その焦点以外にある物の鮮明な画像を得ることができなかった。たとえ監視者が手動で対象物に焦点を合わせたとしても、事故、事件が発生した後、必要となる物に監視者が焦点を合わせているとは限らない。この為、撮影範囲内にある特定の物の画像が必要となった時、その物にカメラの焦点が合っていないときは鮮明な画像が得られないため、事故、事件の正確な発生状況を知ることは難しかった。
【発明の開示】
【発明が解決しようとする課題】
【０００３】
こうした従来の防犯カメラは固定された状態で設置されているため、必然的に、焦点も固定される。従って、カメラから焦点の合う一定距離にあるものを取込んだ画像は鮮明であるが、カメラに近すぎるものや、遠すぎるものを撮影した動画はきわめて不鮮明である。
【０００４】
本発明はこうした問題に鑑み創案されたもので、遠近の広い範囲にわたって鮮明な画像を撮影することのできる防犯カメラを提供することを課題とする。
【課題を解決するための手段】
【０００５】
図１を参照して説明する。請求項１に記載の防犯カメラは、レンズ１と受光部２を備える防犯カメラ１０において、前記レンズ１を固定し、前記受光部２を，往復スライド機構３によって，前記レンズ１に対して周期的に接離移動させて前記レンズ１の焦点を変化させ、遠近の広範囲にわたって周期的に鮮明な画像を取込むものである。
【０００６】
請求項２に記載の防犯カメラは、図２に示す如く、レンズ１と受光部２を備える防犯カメラ１０において、前記受光部２を固定し、前記レンズ１を、往復スライド機構３によって、前記受光部２に対して周期的に接離移動させて前記レンズ１の焦点を変化させ、遠近の広範囲にわたって周期的に鮮明な画像を取込むことものである。
【０００７】
請求項３に記載の防犯カメラは、図３及び図４に示す如く、レンズ１と受光部２を備える防犯カメラ１０において、往復スライド機構３によって前記レンズ１及び受光部２をいずれも両者同時に近づけ又は両者同時に遠ざけながら、周期的に接離させて前記レンズ１の焦点を変化させ、遠近の広範囲にわたって周期的に鮮明な画像を取込むことを特徴とするものである。
【発明の効果】
【０００８】
請求項１に記載の防犯カメラは、レンズ１を固定し、受光部２を、往復スライド機構３によって、レンズ１に対して周期的に接離移動させるので、遠近の広い範囲にわたって鮮明な画像を取込むことができる。
【０００９】
すなわち、受光部２をレンズ１に対して接離移動させることによって、レンズ１の焦点を遠近の広い範囲にわたって変化させることができ、その各焦点にあるもののそれぞれを鮮明に取込むことができる。
【００１０】
例えば、図５に示すように、カメラからそれぞれ異なる距離にあるもの、Ｐ、Ｑ、Ｒ、Ｓを、受光部２が往路を移動することによって鮮明な画像、Ｐ１、Ｑ１、Ｒ１、Ｓ１として撮影し、一定時間経過後の復路において、それらを再び鮮明な動画、Ｐ２、Ｑ２、Ｒ２、Ｓ２として撮影する。従って、受光部２が１往復する間に２回焦点が合い、当該１往復の間に２回、鮮明な画像を取込むことができる。このように、受光部２の接離移動を繰り返すことによって、Ｐ、Ｑ、Ｒ、Ｓを、繰り返し鮮明に撮影することができる。これは、Ｐ、Ｑ、Ｒ、Ｓが物のように静止しているものであっても、人間や動物のように動くものであっても同様であり、カメラの焦点が合う距離における全てのものを鮮明な画像として撮ることができる。
【００１１】
請求項２に記載の防犯カメラは、受光部２を固定し、レンズ１を、往復スライド機構３によって、受光部２に対して周期的に接離移動させるので、請求項１の場合と同様に、遠近の広い範囲にわたって周期的に鮮明な画像を取込むことがで
きる。
【００１２】
請求項３に記載の防犯カメラは、レンズ１と受光部２とをいずれも同時に近づけ又は同時に遠ざけながら周期的に離接させるもので、請求項１または２の場合と同様に、遠近の広い範囲にわたって周期的に鮮明な画像を取込むことができる。
【発明を実施するための最良の形態】
【００１３】
本発明に係る防犯カメラの第一実施形態を、図１に示す。この防犯カメラ１０は、レンズ１と受光部２を備えており、そのレンズ１を固定し、受光部２を、往復スライド機構３によって、レンズ１に対して周期的に接離移動させている。また、往復スライド機構３は、受光部２の支持板２ａの下端部を保持するスライド板７、そのスライド板７の往復動をガイドするガイドレール８、モーター４、当該モーター４の回転軸４ａに一端部を固定したクランク５、そのクランク５の多端部と支持板２ａとをピン９を介して連結するロッド６で構成している。
【００１４】
この防犯カメラにおいて、モーター４を回転させると、その回転軸４ａに一端部を固定したクランク５が回転し、その他端部にピン９を介して連結したロッド６の先端部をレンズ１に対して接離移動させる。これによって、スライド板７がガイドレール８に沿って接離移動し、受光部２も同様に接離移動する。従って、受光部２とレンズ１との距離が周期的に変化し、レンズ１の焦点がそれに応じて連続的に変化し、レンズ１の遠近の広い範囲にわたって周期的に鮮明な画像を取込むことができる。
【００１５】
本発明に係る防犯カメラの第二実施形態を、図２に示す。この防犯カメラ１０は、第一実施形態とは逆に、受光部２を固定し、レンズ１を往復スライド機構３によって、受光部２に対して接離移動させている。この往復スライド機構３も、レンズ１の支持板１ａの下端部を保持するスライド板７、そのスライド板７の往復動をガイドするガイドレール８、モーター４、当該モーター４の回転軸４ａに一端部を固定したクランク５、そして、そのクランク５の多端部と支持板１ａとをピン９を介して連結するロッド６で構成している。
【００１６】
本実施形態における防犯カメラも、第一実施形態の防犯カメラと同様の理由によって、レンズ１の遠近の広範囲にわたって鮮明な画像を取込むことができる。
【００１７】
本発明に係る防犯カメラの第三実施形態を図３及び図４に示す。この防犯カメラは第一実施形態と第二実施形態を組合わせたもので、同一の効果を生じることができる。
【００１８】
図７乃至図１０は機能的特徴を現したものである。図７乃至図１０は時系列になっている。
【００１９】
Ａ−１は受光部がａ−１の位置にある時の焦点の合った撮影面であり、その地点の画像とする。Ｂ−１は受光部がｂ−１の位置にある時の焦点の合った撮影面であり、その地点の画像とする。Ｃ−１は受光部がｃ−１の位置にある時の焦点の合った撮影面であり、その地点の画像とする。Ｄ−１は受光部がｄ−１の位置にある時の焦点の合った撮影面であり、その地点の画像とする。
【００２０】
図７は受光部がａ−１からａ−５に移動した状態をあらわしている。図８は受光部がｂ−５からｂ−１に移動した状態をあらわしている。図９は受光部がｃ−１からｃ−５に移動した状態をあらわしている。図１０は受光部がｄ−５からｄ−１に移動した状態をあらわしている。
【００２１】
実際の運用例は次の通りである。
（甲）Ａ−２の位置にある物の動画が欲しい時・・・Ａ−２，Ｂ−２，Ｃ−２，Ｄ−２・・・の画像を時系列に従って並べればよい。
（乙）対象物がカメラ方向に進んでいる時・・・対象物速さに合わせて焦点の合っている画像を集め時系列に従って並べればよい。
（丙）ある特定の瞬間における特定の物の画像が欲しい時・・・全ての画像の中から選べば、その特定の瞬間の画像が得られなくてもその瞬間に非常に近い時間帯の画像が得られる。
【００２２】
なお、本発明における往復スライド機構３は、上記実施形態に示した構造に限定されるものではなく、受光部２またはレンズ１を相互に接離移動させることのできる構造であれば良い。
【図面の簡単な説明】
【００２３】
【図１】本発明に係る防犯カメラの第一実施形態を示す原理的側面構成図である。
【図２】本発明に係る防犯カメラの第二実施形態を示す原理的側面構成図である。
【図３】本発明に係る防犯カメラの第三実施形態を示す原理的側面構成図である。
【図４】図４の一部平面図である。
【図５】本発明に係る防犯カメラによって取込むことのできる遠近の範囲を示すグラフである。
【図６】撮影範囲と受光部の関係の第１例を示す斜視図である。
【図７】撮影範囲と受光部の関係の第２例を示す斜視図である。
【図８】撮影範囲と受光部の関係の第３例を示す斜視図である。
【図９】撮影範囲と受光部の関係の第４例を示す斜視図である。
【符号の説明】
【００２４】
１      レンズ
１ａ    支持板
２      受光部
２ａ    支持板
３      往復スライド機構
４      モーター
４ａ    回転軸
５      クランク
６      ロッド
７      スライド板
８      ガイドレール
９      ピン
１０    防犯カメラ
１１    撮影範囲
【図１】
2006262225.tif 000003
【図２】
2006262225.tif 000004
【図３】
2006262225.tif 000005
【図４】
2006262225.tif 000006
【図５】
2006262225.tif 000007
【図６】
2006262225.tif 000008
【図７】
2006262225.tif 000009
【図８】
2006262225.tif 000010
【図９】
2006262225.tif 000011